(57)【要約】【課題】地中を深く掘削しなくてもポール本体を格納できる新規な構成の可動式ポールを提供する。【解決手段】可動式ポール１は、地中に埋設される格納ボックス３と、格納ボックス３内に設けられる回動軸５を中心にして所定の角度回動し、倒伏姿勢と起立姿勢とを取ることのできるポール本体７と、格納ボックス３の上部開口９を閉塞する蓋体１１とを備えている。また格納ボックス３内には、ポール本体７の回動動作に連動して蓋体１１を拡開状態と閉塞状態とに切り換えることのできる蓋体開閉機構１３が設けられている。【選択図】        図２
2005330715.tif 000002
【特許請求の範囲】
【請求項１】
未使用時には地中に格納され、使用時には地上に突出して車両の侵入等を防止する可動式ポールにおいて、地中に埋設される格納ボックスと、格納ボックス内に設けられる回転軸を中心にして所定の角度回動し、倒伏姿勢と起立姿勢とを切り換えることのできるポール本体と、格納ボックスの上部開口を閉塞する蓋体とを備えていることを特徴とする可動式ポール。
【請求項２】
請求項１に記載した可動式ポールにおいて、格納ボックス内には、ポール本体の回動動作に連動して蓋体を拡開状態と閉塞状態とに切り換えることのできる蓋体開閉機構が設けられていることを特徴とする可動式ポール。
【請求項３】
請求項２に記載した可動式ポールにおいて、蓋体開閉機構は、回動軸に取り付けられる駆動プーリと、第一無端帯を介して駆動プーリの回転が伝達される従動プーリと、従動プーリと同軸に設けられ一体に回転する第一円板と、第二無端帯を介して、従動プーリの回転が伝達される補助プーリと、補助プーリと同軸に設けられ一体に回転する第二円板とを備えており、前記蓋体は第一円板と第二円板に対して水平姿勢を維持するように架け渡されていることを特徴とする可動式ポール。
【請求項４】
請求項３に記載した可動式ポールにおいて、駆動プーリ、第一無端帯、従動プーリ、第二無端帯及び補助プーリは、ポール本体を挟んで幅方向左右両側にあるいは片側のみに配設されていることを特徴とする可動式ポール。
【請求項５】
請求項１〜４のいずれかに記載した可動式ポールにおいて、ポール本体の回動動作は電動モータ等を使用して自動的に行なわれることを特徴とする可動式ポール。
【発明の詳細な説明】
【技術分野】
【０００１】
本発明は、未使用時には地中に格納され、使用時には地上に突出して車両の侵入等を防止する可動式ポールに関するものである。
【背景技術】
【０００２】
可動式ポールは一般家庭、会社等の門柱として、公園や駐車場等において車両の侵入を防止したり、駐車スペースを規制したりする駐車場ポールとして広く使用されている。
しかしながら、従来の可動式ポールは垂直姿勢を保ったまま地中に設けた格納穴を出入りする構造であるため、長尺の可動式ポールの寸法に合わせて、格納穴をかなり深く掘削しなければならず、工事に相当な手間がかかってしまう。
【発明の開示】
【発明が解決しようとする課題】
【０００３】
本発明は、上記背景技術が抱える問題点を踏まえてなされたものであって、地中を深く掘削しなくてもポール本体を格納できる新規な構成の可動式ポールを提供することを解決しようとする課題とする。
【課題を解決するための手段】
【０００４】
上記課題を解決するために、請求項１の発明は、未使用時には地中に格納され、使用時には地上に突出して車両の侵入等を防止する可動式ポールにおいて、地中に埋設される格納ボックスと、格納ボックス内に設けられる回転軸を中心にして所定の角度回動し、倒伏姿勢と起立姿勢とを切り換えることのできるポール本体と、格納ボックスの上部開口を閉塞する蓋体とを備えていることを特徴とする可動式ポールである。
【０００５】
請求項２の発明は、請求項１に記載した可動式ポールにおいて、格納ボックス内には、ポール本体の回動動作に連動して蓋体を拡開状態と閉塞状態とに切り換えることのできる蓋体開閉機構が設けられていることを特徴とする可動式ポールである。
【０００６】
請求項３の発明は、請求項２に記載した可動式ポールにおいて、蓋体開閉機構は、回動軸に取り付けられる駆動プーリと、第一無端帯を介して駆動プーリの回転が伝達される従動プーリと、従動プーリと同軸に設けられ一体に回転する第一円板と、第二無端帯を介して、従動プーリの回転が伝達される補助プーリと、補助プーリと同軸に設けられ一体に回転する第二円板とを備えており、前記蓋体は第一円板と第二円板に対して水平姿勢を維持するように架け渡されていることを特徴とする可動式ポールである。
【０００７】
請求項４の発明は、請求項３に記載した可動式ポールにおいて、駆動プーリ、第一無端帯、従動プーリ、第二無端帯及び補助プーリは、ポール本体を挟んで幅方向左右両側にあるいは片側のみに配設されていることを特徴とする可動式ポールである。
【０００８】
請求項５の発明は、請求項１〜４のいずれかに記載した可動式ポールにおいて、ポール本体の回動動作は電動モータ等を使用して自動的に行なわれることを特徴とする可動式ポールである。
【発明の効果】
【０００９】
本発明の可動式ポールによれば、地中を深く掘削しなくてもポール本体の格納スペースを確保できる。また、ポール本体の回動動作にリンクして駆動される蓋体開閉機構を設けた場合には、ポール本体を起立姿勢にした場合に開放状態となる格納ボックスの上部開口面をポール本体の動きに連動させて自動的に閉塞することが可能となる。
【発明を実施するための最良の形態】
【００１０】
以下、下記の実施例によって、本発明に係る可動式ポールを実施するための最良の形態について説明する。
【実施例１】
【００１１】
本発明の実施例１に係る可動式ポール１を説明する。
可動式ポール１は、未使用時には地中に格納され、使用時には地上に突出して車両の侵入等を防止する可動式のポールであって、一般家庭、会社等の門柱として、公園や駐車場等において車両の侵入を防止したり、駐車スペースを規制したりする駐車場ポールとして使用される。
【００１２】
可動式ポール１は、地中に埋設される格納ボックス３と、回動軸５を中心にして回動するポール本体７と、格納ボックス３の上部開口９を閉塞する蓋体１１とを備えている。
格納ボックス３は、一例として幅２２６ｍｍ、高さ１５７ｍｍ、奥行９１０.５ｍｍの奥行寸法の長い角箱状の部材で上面は開放されていて、上部開口９が形成されている。格納ボックス３の上面は地面Ｇとほぼ面一になっていて、蓋体１１を装着した状態では、蓋体１１の上面が地面Ｇとほぼ面一になるように設定されている。
【００１３】
回動軸５は格納ボックス３における奥行方向の一方の端部寄りに設けられており、回動軸５には、ポール本体７と後述する蓋体開閉機構１３の一部である駆動プーリ１５が一体に設けられている。
ポール本体７は可動式ポール１の主要部を構成する筒状の部材で本実施例ではコーナー部が面取りないしアール付けされた角筒状のものを使用した。ポール本体７は所定の角度（本実施例では９０°）回動し、図２に示す起立姿勢と、図３に示す倒伏姿勢とを切り換えることができるようになっている。
【００１４】
蓋体１１は矩形平板状の部材で、回動軸５が設けられている側と反対側の奥行方向における端面は下方に向けて斜めにカットされており、傾斜面１７となっている。
格納ボックス３の上部開口９における奥行方向の端面も斜めにカットされ、傾斜面１９になっていて、上記蓋体１１における傾斜面１７と図２に示すように閉塞状態において係合するようになっている。
【００１５】
また格納ボックス３内には、ポール本体７の回動動作に連動して蓋体１１を図２に示す閉塞状態と図３に示す拡開状態とに切り換えることのできる蓋体開閉機構１３が設けられている。
蓋体開閉機構１３は、回動軸５に取り付けられる駆動プーリ１５と、第一無端帯としての第一タイミングベルト２１を介して駆動プーリ１５の回転が伝達される従動プーリ２３とを有しており、さらに従動プーリ２３と同軸に設けられて一体に回転する第一円板２５と、第二無端帯としての第二タイミングベルト２７を介して、従動プーリ２３の回転が伝達される補助プーリ２９と、補助プーリ２９と同軸に設けられ、一体に回転する第二円板３１とを備えている。
【００１６】
また本実施例では、駆動プーリ１５、第一タイミングベルト２１、従動プーリ２３、第二タイミングベルト２７及び補助プーリ２９は、図４、５に示すようにポール本体７を挟んで幅方向左右両側に二組配設されている。
駆動プーリ１５、従動プーリ２３及び補助プーリ２９は第一タイミングベルト２１あるいは第二タイミングベルト２７と噛み合う多数の方形歯が形成されたいわゆるタイミングプーリである。プーリ径は駆動プーリ１５が最も大きく、従動プーリ２３と補助プーリ２９のプーリ径は、駆動プーリ１５の半分程度に設定されている。
【００１７】
このようにプーリ径を設定したのは、駆動プーリ１５が９０°回転した時に従動プーリ２３と補助プーリ２９が１８０°回転するようにし、蓋体１１の拡開状態と閉塞状態とを切り換えることができるようにするためである。
従動プーリ２３は図４等に示すように幅方向内方と外方に２個設けられており、これらを区別する場合には、内方に設けられるものを２３Ａ、外方に設けられているものを２３Ｂとして両者を識別する。
【００１８】
第一円板２５と、第二円板３１は同径の円形平板状の部材である。第一円板２５と第二円板３１はポール本体７を挟んで、幅方向左右両側に１枚ずつ、計４枚設けられている。そして、２枚ずつ設けられる第一円板２５と第二円板３１の周縁部には、図２、３、５等に示すようにブラケット３３を介して蓋体１１が水平姿勢を維持するように架け渡されて取り付けられている。
【００１９】
従って格納ボックス３の幅方向の側板３５と、第一円板２５及び第二円板３１、及び蓋体１１とによって平行リンク機構が構成されており、蓋体１１はポール本体７の回動動作に連動して、水平姿勢を保ったまま図２に示す上限位置（閉塞状態）と、図３に示す下限位置（拡開状態）との間を揺動移動できるようになっている。
【００２０】
次にこのようにして構成される本実施例に係る可動式ポール１の作動態様について説明する。
（１）格納時（図３参照）
ポール本体７が格納された状態では、図３に示すようにポール本体７は水平に倒れた倒伏姿勢になっている。この状態ではポール本体７は格納ボックス３内に完全に格納されており、ポール本体７の上面自体によって格納ボックス３の上部開口９が閉塞された状態になっている。
【００２１】
（２）突出時（図２参照）
倒伏姿勢のポール本体７の上面には、ポール本体７を引き起こす際に使用する図示しないハンドルが設けられている。
ハンドルは常時はポール本体７の上面から突出しないように引っ込んだ状態になっていて、使用の際に上方に引き上げることによって手で握れるようになっている。
このハンドルを持って上方にポール本体７を引き上げると、ポール本体７は回動軸５を中心にして図２中、矢印で示すように反時計方向に回動する。そして、ポール本体７の基部が格納ボックス３の上部開口９における回動軸５側の縁部３９に当接することで停止する。
【００２２】
また、ポール本体７が回動すると、蓋体開閉機構１３が連動して作動するようになり、駆動プーリ１５の９０°の回転が従動プーリ２３、第一円板２５、補助プーリ２９及び第二円板３１における同方向の１８０°の回転に変換されることによって蓋体１１は図３に示す下限位置から図２に示す上限位置に移動して格納ボックス３の上部開口９を閉塞する。
この状態ではポール本体７の基部は上述の縁部３９と、上限位置に移動した蓋体１１における対向する端面３７とによって挟持されているので、ポール本体７の起立姿勢が保たれている。
【００２３】
図２に示す突出状態から図３に示す格納状態へとポール本体７を移動させる場合には、上述と逆の操作を行えば良く、図示しないハンドルを持ってポール本体７を図３中矢印で示す時計方向に回動させて行けば、蓋体開閉機構１３が先程と逆の方向に作動するようになって蓋体１１は図３に示す下限位置になって、ポール本体７は格納ボックス３内に格納された状態となる。
【００２４】
以上、本発明の実施例を説明したが、本発明の具体的構成はこの実施例に限定されるものではなく、本発明の要旨から外れない範囲での設計変更等があっても本発明に含まれる。
例えば、駆動プーリ１５、第一タイミングベルト２１、従動プーリ２３、第二タイミングベルト２７及び補助プーリ２９は、図６に示すようにポール本体７の幅方向の左右両側に設けるのではなく、何れか片側のみに設けることも可能である。
【００２５】
第一円板２５と第二円板３１の同期した回転が蓋体１１と格納ボックス３とによる平行リンク機構のみによって干渉することなく円滑に行われる場合には、内方の従動プーリ２３Ａ、第二タイミングベルト２７及び補助プーリ２９を省略することも可能である。
また、上記実施例では手動操作によってポール本体７を回動させたが、回動軸５に対して直接、あるいは適宜の駆動伝達手段を介して電動モータ等の駆動手段を接続することも可能である。このようにした場合にはボタン操作等によって自動的にポール本体７を回動させることが可能となる。
【００２６】
さらに、ポール本体７の動きに連動する蓋体開閉機構１３を排除し、図７に示すように格納ボックス３に対してヒンジ４１によって接続された観音扉式の蓋体１１とすることも可能である。
また、図示は省略するが、シャッター式の蓋体１１とし、ポール本体７の動きに連動してシャッター式の蓋体１１が開閉し得るような蓋体開閉機構１３を設けることも可能である。
【図面の簡単な説明】
【００２７】
【図１】本発明の実施例に係る可動式ポールを示す斜視図である。
【図２】本発明の実施例に係る可動式ポールを示すポール本体が起立姿勢にある時の側断面図である。
【図３】本発明の実施例に係る可動式ポールを示すポール本体が倒伏姿勢にある時の側断面図である。
【図４】本発明の実施例に係る可動式ポールの蓋体を取り外した状態の平面図である。
【図５】本発明の実施例に係る可動式ポールを示す図４中、Ａ−Ａ線で破断した断面図である。
【図６】本発明の他の実施例に係る可動式ポールの蓋体を取り外した状態の平面図である。
【図７】本発明の更に他の実施例に係る可動式ポールを示す平面図である。
【符号の説明】
【００２８】
１  可動式ポール      ３  格納ボックス      ５  回動軸
７  ポール本体      ９  上部開口      １１  蓋体
１３  蓋体開閉機構      １５  駆動プーリ      １７  傾斜面（蓋体の）
１９  傾斜面（格納ボックスの）
２１  第一タイミングベルト（第一無端帯）      ２３  従動プーリ
２３Ａ  （内方の）従動プーリ      ２３Ｂ  （外方の）従動プーリ
２５  第一円板      ２７  第二タイミングベルト（第二無端帯）
２９  補助プーリ      ３１  第二円板      ３３  ブラケット
３５  側板      ３７  端面      ３９  縁部      ４１  ヒンジ
Ｇ  地面
【図１】
2005330715.tif 000003
【図２】
2005330715.tif 000004
【図３】
2005330715.tif 000005
【図４】
2005330715.tif 000006
【図５】
2005330715.tif 000007
【図６】
2005330715.tif 000008
【図７】
2005330715.tif 000009